(57)【要約】【課題】ユーザが所有する電化製品又は、この電化製品に記憶された電話番号を特定するカードを交換した場合であっても、電化製品にインストールされたアプリケーションを管理する。【解決手段】サービス情報管理サーバ１００は、所定の電化製品１０から電話番号を特定する固有ＩＤと、当該所定の電化製品１０にインストールされたアプリケーションを識別するアプリケーションＩＤと、を対応づけて記憶し、一の電化製品の電話番号を特定する固有ＩＤと他の電化製品の電話番号を特定する固有ＩＤとが異なる場合に、前記アプリケーションの起動を停止する停止指示を送信する。【選択図】図３
2016154321.tif 000002
【特許請求の範囲】
【請求項１】
電化製品と通信可能に接続されたサービス情報管理サーバであって、
所定の電化製品から電話番号を特定する固有ＩＤと、前記所定の電化製品にインストールされているアプリケーションを識別するアプリケーションＩＤとを受信するＩＤ受信手段と、
受信した前記固有ＩＤと、前記アプリケーションＩＤとを対応付けて記憶するＩＤ記憶手段と、
一の電化製品の電話番号を特定する固有ＩＤと他の電化製品の電話番号を特定する固有ＩＤとが異なる場合に、前記アプリケーションの起動を停止する停止指示を送信する停止指示送信手段と、
を備えるサービス情報管理サーバ。
【請求項２】
前記一の電化製品の電話番号を特定する固有ＩＤと前記他の電化製品の電話番号を特定する固有ＩＤとが同一である場合に、前記アプリケーションが他の電化製品にインストールされているか否かを判断する判断手段と、
前記判断手段による判断結果が、前記他の電化製品に前記アプリケーションがインストールされていないと判断した場合に、前記他の電化製品に前記アプリケーションをインストールさせるアプリケーションインストール手段と、
を備える請求項１に記載のサービス情報管理サーバ。
【請求項３】
前記ＩＤ受信手段は、所定の電化製品を識別するユーザＩＤを受信し、
前記ＩＤ記憶手段は、前記固有ＩＤと、前記アプリケーションＩＤと、前記ユーザＩＤとを対応付けて記憶し、
前記停止指示送信手段は、前記一の電化製品のユーザＩＤと前記他の電化製品のユーザＩＤが同一である場合、かつ、前記一の電化製品の電話番号を特定する固有ＩＤと前記他の電化製品の電話番号を特定する固有ＩＤとが異なる場合に、前記アプリケーションの起動を停止する停止指示を送信する、請求項１又は２に記載のサービス情報管理サーバ。
【請求項４】
電化製品と通信可能に接続されたサーバが実行するサービス情報管理方法であって、
所定の電化製品から電話番号を特定する固有ＩＤと、前記所定の電化製品にインストールされているアプリケーションを識別するアプリケーションＩＤとを受信するステップと、
受信した前記固有ＩＤと、前記アプリケーションＩＤとを対応付けて記憶するステップと、
一の電化製品の電話番号を特定する固有ＩＤと他の電化製品の電話番号を特定する固有ＩＤとが異なる場合に、前記アプリケーションの起動を停止する停止指示を送信するステップと、
を備えるサービス情報管理方法。
【請求項５】
電化製品と通信可能に接続されたサービス情報管理サーバに実行させるサービス情報管理サーバ用プログラムであって、
所定の電化製品から電話番号を特定する固有ＩＤと、前記所定の電化製品にインストールされているアプリケーションを識別するアプリケーションＩＤとを受信するステップと、
受信した前記固有ＩＤと、前記アプリケーションＩＤとを対応付けて記憶するステップと、
一の電化製品の電話番号を特定する固有ＩＤと他の電化製品の電話番号を特定する固有ＩＤとが異なる場合に、前記アプリケーションの起動を停止する停止指示を送信するステップと、
を実行させるサービス情報管理サーバ用プログラム。
【発明の詳細な説明】
【技術分野】
【０００１】
本発明は、ユーザが使用する電化製品のサービスを管理するサービス情報管理サーバ、サービス情報管理方法及びサービス情報管理サーバ用プログラムに関する。
【背景技術】
【０００２】
近年、スマートフォンやタブレットと呼ばれる携帯端末が普及している。通常、これらの携帯端末は、ＳＩＭ（Ｓｕｂｓｃｒｉｂｅｒ  Ｉｄｅｎｔｉｔｙ  Ｍｏｄｕｌｅ）カードを内蔵し、ＳＩＭカードに記憶された固有のＩＤにより交換機等が電話番号を特定する。
【０００３】
このＳＩＭカードの固有のＩＤは、携帯端末を利用するユーザを特定するための識別子としても利用できるため、例えば、ユーザの認証にも利用されている（例えば、特許文献１参照）。
【先行技術文献】
【特許文献】
【０００４】
【特許文献１】特開２０１３−１８６５４９号公報
【発明の概要】
【発明が解決しようとする課題】
【０００５】
特許文献１によれば、ギフトカードを利用するユーザの本人確認のために、ＳＩＭカードの番号を利用することで、セキュリティを高めた決済処理が開示されている。
【０００６】
しかしながら、特許文献１の方法では、ＳＩＭカードと携帯端末（を使用するユーザ）が一対一で対応することを前提にシステムが構築されているため、携帯端末やＳＩＭカードが交換された場合にまでは対応することが出来ない。
【０００７】
一方、以前では、一の携帯端末に対しては、特定の通信事業者（キャリア）が提供するＳＩＭカードのみしか使用できないように、携帯端末の機能が制限されていた。したがって、一の携帯端末とＳＩＭカードは、おおむね一対一で対応していたことから、特許文献１のような技術がある程度有効であった。これは、ＳＩＭロックと呼ばれる制限機能であったが、近年、このＳＩＭロックが解除され、携帯端末とＳＩＭの固有ＩＤとが必ずしも一対一で対応しない事態が生じてきた。例えば、携帯端末が同一で、ＳＩＭカードのみを交換した場合は、特許文献１の方法では、決済処理に混乱が生じることが予想される。
【０００８】
一方、携帯端末とＳＩＭカードが一対一で対応しないことで、携帯端末にインストールされているアプリケーションにも影響が出てくる。例えば、携帯端末にインストールされているアプリケーションは、機密性が高い情報や他人には見られたくない情報がある。ＳＩＭカードが異なる場合であっても、携帯端末では利用者が異なることを認知できず、アプリケーションを利用でき、その結果、機密性の高い情報や他人には見られたくない情報が見られてしまうおそれがある。
【０００９】
さらに、ある携帯端末でインストールしたアプリケーション等を、新しく交換した携帯端末にも、同様の設定で引き継ぎたい場合がある。現状では、新しい携帯端末でも再度、同じ設定をすることが要請されている。
【００１０】
本発明は、これらの課題に鑑み、携帯端末のような電化製品を特定する固有ＩＤと、アプリケーション自身を特定するアプリケーションＩＤとを利用することで、ユーザが所有する電化製品又は、この電化製品の電話番号を特定するカードを交換した場合であっても、電化製品にインストールされたアプリケーションを管理することが可能なサービス情報管理サーバ、サービス情報管理方法を提供することを目的とする。
【課題を解決するための手段】
【００１１】
本発明では、以下のような解決手段を提供する。
【００１２】
第１の特徴に係る発明は、電化製品と通信可能に接続されたサービス情報管理サーバであって、
所定の電化製品から電話番号を特定する固有ＩＤと、前記所定の電化製品にインストールされているアプリケーションを識別するアプリケーションＩＤとを受信するＩＤ受信手段と、
受信した前記固有ＩＤと、前記アプリケーションＩＤとを対応付けて記憶するＩＤ記憶手段と、
一の電化製品の電話番号を特定する固有ＩＤと他の電化製品の電話番号を特定する固有ＩＤとが異なる場合に、前記アプリケーションの起動を停止する停止指示を送信する停止指示送信手段と、
を備えるサービス情報管理サーバを提供する。
【００１３】
第１の特徴に係る発明によれば、サービス情報管理サーバは、所定の電化製品から電話番号を特定する固有ＩＤと、前記所定の電化製品にインストールされているアプリケーションを識別するアプリケーションＩＤとを受信し、受信した前記固有ＩＤと、前記アプリケーションＩＤとを対応付けて記憶し、一の電化製品の電話番号を特定する固有ＩＤと他の電化製品の電話番号を特定する固有ＩＤとが異なる場合に、前記アプリケーションの起動を停止する停止指示を送信する。
【００１４】
ここで、第１の特徴に係る発明はサーバのカテゴリであるが、方法又はプログラム等の他のカテゴリにおいても、そのカテゴリに応じた同様の作用・効果を発揮する。
【００１５】
第２の特徴に係る発明は、前記一の電化製品の電話番号を特定する固有ＩＤと前記他の電化製品の電話番号を特定する固有ＩＤとが同一である場合に、前記アプリケーションが他の電化製品にインストールされているか否かを判断する判断手段と、
前記判断手段による判断結果が、前記他の電化製品に前記アプリケーションがインストールされていないと判断した場合に、前記他の電化製品に前記アプリケーションをインストールさせるアプリケーションインストール手段と、
を備える第１の特徴に係る発明であるサービス情報管理サーバを提供する。
【００１６】
第２の特徴に係る発明によれば、第１の特徴に係る発明であるサービス情報管理サーバは、前記一の電化製品の電話番号を特定する固有ＩＤと前記他の電化製品の電話番号を特定する固有ＩＤとが同一である場合に、前記アプリケーションが他の電化製品にインストールされているか否かを判断し、判断結果が、前記他の電化製品に前記アプリケーションがインストールされていない場合に、前記他の電化製品に前記アプリケーションをインストールさせる。
【００１７】
第３の特徴に係る発明は、前記ＩＤ受信手段が、所定の電化製品を識別するユーザＩＤを受信し、
前記ＩＤ記憶手段が、前記固有ＩＤと、前記アプリケーションＩＤと、前記ユーザＩＤとを対応付けて記憶し、
前記停止指示送信手段が、前記一の電化製品のユーザＩＤと前記他の電化製品のユーザＩＤが同一である場合、かつ、前記一の電化製品の電話番号を特定する固有ＩＤと前記他の電化製品の電話番号を特定する固有ＩＤとが異なる場合に、前記アプリケーションの起動を停止する停止指示を送信する、第１又は第２の特徴に係る発明であるサービス情報管理サーバを提供する。
【００１８】
第３の特徴に係る発明によれば、第１又は第２の特徴に係る発明であるサービス情報管理サーバは、所定の電化製品を識別するユーザＩＤを受信し、前記固有ＩＤと、前記アプリケーションＩＤと、前記ユーザＩＤとを対応付けて記憶し、前記一の電化製品のユーザＩＤと前記他の電化製品のユーザＩＤが同一である場合、かつ、前記一の電化製品の電話番号を特定する固有ＩＤと前記他の電化製品の電話番号を特定する固有ＩＤとが異なる場合に、前記アプリケーションの起動を停止する停止指示を送信する。
【発明の効果】
【００１９】
本発明によれば、電化製品を利用するユーザが所有する電化製品又は電話番号を特定するカードを交換した場合であっても、電化製品にインストールされたアプリケーションを管理することが可能である。
【図面の簡単な説明】
【００２０】
【図１】図１は、サービス情報管理システム１の全体構成図である。
【図２】図２は、電化製品１０、サービス情報管理サーバ１００の機能ブロック図である。
【図３】図３は、電化製品１０、サービス情報管理サーバ１００が実行するサービス情報停止処理のフローチャートである。
【図４】図４は、電化製品１０、サービス情報管理サーバ１００が実行するサービス情報反映処理のフローチャートである。
【図５】図５は、サービス情報管理サーバ１００が記憶するＩＤ対応テーブルの一例である。
【図６】図６は、アプリケーションの使用停止を示す画面イメージ例である。
【図７】図７は、アプリケーションの反映のための確認画面イメージ例である。
【発明を実施するための形態】
【００２１】
以下、本発明を実施するための最良の形態について図を参照しながら説明する。なお、これはあくまでも一例であって、本発明の技術的範囲はこれに限られるものではない。
【００２２】
［サービス情報管理システム１のシステム構成］
図１は、本発明の好適な実施形態であるサービス情報管理システム１のシステム構成図である。サービス情報管理システム１は、電化製品１０ａ、ｂ（以下、単に１０とする）、サービス情報管理サーバ１００及びこれらの機器を接続する公衆回線網３（インターネット網や第３世代、第４世代通信網など）から構成される。
【００２３】
電化製品１０は、後述の機能を備え、データ通信を行うことが可能であり、家庭用又は業務用の電化製品である。電化製品１０は、例えば、携帯端末、携帯電話、携帯情報端末に加え、スマートフォン、タブレット端末、ネットブック端末、スレート端末、電子書籍端末、携帯型音楽プレーヤ等の情報家電であってよいし、例えば、コンピュータに加えて、冷蔵庫、オーディオ、スピーカ、洗濯機、ルータ、テレビ、プリンタ、複合機、ヒータ、エアコン、電話機、記録メディア録画再生装置を含む。これらの電化製品１０は、ＴＣＰ／ＩＰ等のプロトコルで通信する機能を備える。
【００２４】
サービス情報管理サーバ１００は、後述の機能を備えるサーバであって、電化製品１０を使用するユーザが提供を受けるサービスを管理するサーバである。
【００２５】
［各機能の説明］
図２に基づいて、各装置の構成について説明する。
【００２６】
電化製品１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。さらに、ＧＰＳ（Ｇｌｏｂａｌ  Ｐｏｓｉｔｉｏｎｉｎｇ  Ｓｙｓｔｅｍ）が実現可能なハードウェアインターフェースを備えていてもよい。
【００２７】
通信部１２は、電化製品１０の電話番号を特定するためのＳＩＭカード１１（Ｓｕｂｓｃｒｉｂｅｒ  Ｉｄｅｎｔｉｆｙ  Ｍｏｄｕｌｅ  Ｃａｒｄ）を備え、ＳＩＭカード１１には、固有のＩＤ（ＳＩＭ  ＩＤ）が記憶されている。
【００２８】
また、電化製品１０は、入出力部として、制御部で制御したデータや画像を出力表示する表示部を備え、入出力部は、サービス情報管理サーバ１００から受信したデータやメッセージ（後述する、アプリケーションの起動停止、アプリケーションのインストールに関するメッセージ）を表示し、表示したメッセージに対する応答をユーザから入力として受付ける。
【００２９】
電化製品１０において、制御部１１が、所定のプログラムを読み込むことで、通信部１２と協働して、ユーザＩＤ送信モジュール２０、アプリケーションＩＤ送信モジュール２１、ＳＩＭ  ＩＤ送信モジュール２２、起動停止指示受信モジュール２３及びインストール指示受信モジュール２４を実現する。
【００３０】
電化製品１０において読み込まれるプログラムは、電化製品１０にインストールされるアプリケーション・プログラムであってよい。アプリケーション・プログラムは、インストール時に、電化製品１０を操作するユーザのユーザ情報を登録する機能を有してよい。すなわち、電化製品１０は、サービス情報管理サーバ１００から送信されるデータを受信するためのメールアドレスやショートメッセージアドレス、電話番号、製品ＩＤ、アプリケーションと関係付けられたＩＤ等を、適宜、ユーザからの入力を受付け、サービス情報管理サーバ１００に送信し、登録する。
【００３１】
サービス情報管理サーバ１００は、電化製品１０と同様に、制御部１１０として、ＣＰＵ、ＲＡＭ、ＲＯＭ等を備え、通信部１２０として、例えば、ＩＥＥＥ８０２．１１に準拠したＷｉＦｉ対応デバイス又は、有線ケーブルによる接続可能とするデバイス等の、他のコンピュータとのデータ通信を実現するデバイスを備える。また、サービス情報管理サーバ１００は、データやファイル、データベーステーブルを記憶する記憶部１３０として、ハードディスクや半導体メモリ、記録媒体、メモリカード等によるデータのストレージ部を備える。
【００３２】
サービス情報管理サーバ１００において、制御部１１０が所定のプログラムを読み込むことで、通信部１２０と協働して、ＩＤ受信モジュール２００、起動停止指示送信モジュール２３０及びインストール指示送信モジュール２４０を実現する。また、サービス情報管理サーバ１００において、制御部１１０が所定のプログラムを読み込むことで、記憶部１３０と協働して、ＩＤ記憶モジュール３００及びＩＤ参照モジュール３１０を実現する。
【００３３】
［サービス情報停止処理］
図３は、電化製品１０、サービス情報管理サーバ１００が実行するサービス情報管理処理のフローチャートである。上述した各装置のモジュールが行う処理について、本処理にて併せて説明する。
【００３４】
はじめに、電化製品１０は、上記の各モジュールを実現するアプリケーション・プログラムのインストールを受け付ける（ステップＳ０１）。インストールが完了すると、電化製品１０は、自身のハードウェアＩＤ（シリアルナンバー）を製品ＩＤとして取得し、取得した製品ＩＤをサービス情報管理サーバ１００に送信する。同時に、ユーザＩＤ送信モジュール２０が、電化製品１０にインストールされている各アプリケーションのユーザＩＤとパスワードとを取得し、取得したユーザＩＤとパスワードとをサービス情報管理サーバ１００に送信する。同時に、アプリケーションＩＤ送信モジュール２１が電化製品１０にインストールされているアプリケーションを識別するアプリケーションＩＤをサービス情報管理サーバ１００に送信する。同時に、ＳＩＭ  ＩＤ送信モジュール２２が、電化製品１０の電話番号を特定するためのＳＩＭ  ＩＤを取得し、取得したＳＩＭ  ＩＤをサービス情報管理サーバ１００に送信する（ステップＳ０２）なお、ユーザＩＤ送信モジュール２０が送信するユーザＩＤは、電化製品１０を識別するための固有なＩＤであっても良い。
【００３５】
サービス情報管理サーバ１００のＩＤ受信モジュール２００は、製品ＩＤと、ユーザＩＤと、パスワードと、アプリケーションＩＤと、ＳＩＭ  ＩＤとを電化製品１０から受信し、ＩＤ記憶モジュール３００が、これらを対応づけて記憶する（ステップＳ０３）。これらを対応付けて記憶した例が、図５に示すＩＤ対応テーブルである。ＩＤ対応テーブルは、サービス情報管理サーバ１００の記憶部１３０に記憶される。
【００３６】
図５に示すＩＤ対応デーブルは、ＳＩＭ  ＩＤと、アプリケーション名と、ユーザＩＤと、パスワードとを対応付けている。例えば、ＳＩＭ  ＩＤが「ＤＮＸＸＸＸＸ」の端末には、アプリケーション名「Ａ」、ユーザＩＤ「ＫＯＮＯＫ」、パスワード「ｘｘｘｘｘｘｘ」が対応付けられている。また、同様に、アプリケーション名「Ｂ」、ユーザＩＤ「ＸＸＯＯＫ」、パスワード「ｘｘｘｘｘｘｘ」が対応付けられている。また、同様にアプリケーション名「Ｃ」、ユーザＩＤ「ＨＨＦＫＫＫ」、パスワード「ｘｘｘｘｘｘｘ」が対応付けられている。なお、ＩＤ対応テーブルとして、１つのＳＩＭ  ＩＤを示しているが、複数のＳＩＭ  ＩＤを記憶しても良いし、アプリケーションごとにＳＩＭ  ＩＤを記憶していても良いし、他の方法であっても良い。
【００３７】
ここで、以下の説明のために、電化製品１０ｃは、電化製品１０ａと同一の製品ＩＤを有する電化製品であって、電化製品１０ａで使用していたＳＩＭカードとは異なるＳＩＭカードを挿入するものとする。したがって、電化製品１０ｃの製品自身のＩＤは同一であるが、電化製品１０ｃのＳＩＭ  ＩＤは、電化製品１０ａと異なる。
【００３８】
次に、電化製品１０ｃは、新たにＳＩＭカードが挿入された場合に、上述したステップＳ０２と同様の処理が行われ、製品ＩＤと、ユーザＩＤと、パスワードと、アプリケーションＩＤと、ＳＩＭ  ＩＤとを取得し、サービス情報管理サーバ１００に送信する（ステップＳ０４）。なお、ステップＳ０４において、各種ＩＤの取得及び送信は、電化製品１０ｃにインストールされているアプリケーションが起動されるごとに行われても良い。
【００３９】
サービス情報管理サーバ１００のＩＤ参照モジュール３１０は、受信した電化製品１０ｃのＳＩＭ  ＩＤが同一のものが、ＩＤ対応テーブルに存在するか否かを確認する（ステップＳ０５）。同一のものがなければ（ステップＳ０５：「ＮＯ」）、ステップＳ０６に処理を移す。同一のものがあれば（ステップＳ０５：「ＹＥＳ」）、サービス情報管理サーバ１００は、本処理を終了し、電化製品１０ｃにて、ステップＳ０７が実行されない。この例では、電化製品１０ｃのＳＩＭ  ＩＤと、電化製品１０ａのＳＩＭ  ＩＤとが異なっているため、電化製品１０ｃのＳＩＭ  ＩＤと電化製品１０ａのＳＩＭ  ＩＤとが異なるものであると判断する（ステップＳ０５：「ＮＯ」）。ステップＳ０５において、ユーザＩＤが同一である場合であっても、ＳＩＭ  ＩＤが異なっている場合には、ステップＳ０６に処理を移す。なお、電化製品のＳＩＭ  ＩＤが同一である場合についての各処理については、後述する。
【００４０】
サービス情報管理サーバ１００のＩＤ参照モジュール３１０が、ＩＤ対応テーブルを参照し、ＳＩＭ  ＩＤが同一のものが無いと判断した場合（ステップＳ０５：「ＮＯ」）、起動停止指示送信モジュール２３０は、電化製品１０ｃに対して、電化製品１０ｃにインストールされているアプリケーションの起動停止指示を送信する（ステップＳ０６）。
【００４１】
電化製品１０ｃの起動停止指示受信モジュール２３は、サービス情報管理サーバ１００から送信された起動停止指示を受信する。電化製品１０ｃは、起動停止指示を受信すると、図６に示すように、受信した起動停止指示に関するメッセージを画面に出力する。同時に、インストールされているアプリケーションの起動を停止する（ステップＳ０７）。
【００４２】
なお、上述の図３の例では、電化製品１０ａと異なるＳＩＭ  ＩＤを備えて、サービス情報管理サーバ１００にアクセスした場合について、説明したが、次に、電化製品１０ａと同様のＳＩＭ  ＩＤを有する電化製品１０ｂを用いた場合を図４に基づいて説明する。
【００４３】
［サービス情報反映処理］
はじめに、電化製品１０は、上述したステップＳ０１と同様に、上記の各モジュールを実現するアプリケーション・プログラムのインストールを受け付ける（ステップＳ１１）。インストールが完了すると、ステップＳ０２と同様に、製品ＩＤと、ユーザＩＤと、パスワードと、アプリケーションＩＤと、ＳＩＭ  ＩＤとを取得し、サービス情報管理サーバ１００に送信する（ステップＳ１２）。
【００４４】
サービス情報管理サーバ１００のＩＤ受信モジュール２００は、ステップＳ０３と同様に、製品ＩＤと、ユーザＩＤと、パスワードと、アプリケーションＩＤと、ＳＩＭ  ＩＤとを受信し、ＩＤ記憶モジュール３００が、これらを対応付けて記憶する（ステップＳ１３）。これらを対応付けて記憶した例が、上述した図５に示すＩＤ対応テーブルである。ＩＤ対応テーブルは、サービス情報管理サーバ１００の記憶部１３０に記憶される。
【００４５】
ここで、以下の説明のために、電化製品１０ｂは、電化製品１０ａと異なる製品ＩＤを有する電化製品であって、電化製品１０ａで使用していたＳＩＭカードを挿入するものとする。したがって、電化製品１０ｂのＳＩＭ  ＩＤは、電化製品１０ａと同一である。
【００４６】
次に、ステップＳ０４と同様の処理が行われ、電化製品１０ｂの製品ＩＤと、ＳＩＭ  ＩＤとをサービス情報管理サーバ１００に送信される（ステップＳ１４）。
【００４７】
サービス情報管理サーバ１００のＩＤ参照モジュール３１０は、ステップＳ０５と同様の処理が行われ、受信した電化製品１０ｂのＳＩＭ  ＩＤが同一のものが、ＩＤ対応テーブルに存在するか否かを確認する（ステップＳ１５）。同一のものがあれば（ステップＳ１５：「ＹＥＳ」）、ステップＳ１６に処理を移す。同一のものがなければ（ステップＳ１５：「ＮＯ」）、サービス情報管理サーバ１００は処理を終了し、電化製品１０ｂにてステップＳ１７が実行されない。この例では、電化製品１０ｂと同一のＳＩＭ  ＩＤが、電化製品１０ａにより先に登録されているため、電化製品１０ａと同一のものがあると判断する（ステップＳ１５：「ＹＥＳ」）。
【００４８】
サービス情報管理サーバ１００のＩＤ参照モジュール３１０が、ＩＤ対応テーブルを参照し、ＳＩＭ  ＩＤが同一のものがあると判断した場合（ステップＳ１５：「ＹＥＳ」）、インストール指示送信モジュール２４０は、このＳＩＭ  ＩＤに対応付けられたアプリケーションＩＤを参照し、このアプリケーションＩＤに該当するアプリケーションのインストール指示を電化製品１０ｂに送信する（ステップＳ１６）。
【００４９】
電化製品１０ｂのインストール指示受信モジュール２４は、サービス情報管理サーバ１００から送信されたアプリケーションのインストール指示を受信する。電化製品１０ｂは、インストール指示を受信すると、図７に示すように、受信したインストール指示に関するイメージを画面に出力する。表示される「ＹＥＳ」をユーザが操作することで、電化製品１０ａにインストールされていたアプリケーションを、電化製品１０ｂにインストールする（ステップＳ１７）。また、表示される「ＮＯ」をユーザが操作することで、電化製品１０ａにインストールされていたアプリケーションを、電化製品１０ｂにインストールしない。
【００５０】
ステップＳ１７において、電化製品１０ｂは、サービス情報管理サーバ１００に記憶しているＳＩＭ  ＩＤと、アプリケーションＩＤと、ユーザＩＤと、パスワードとに基づいて、自身のＳＩＭ  ＩＤと関連づけられたアプリケーションを検索し、インストールされていないアプリケーションを判断する。具体的には、自身にインストールされているアプリケーションに該当するアプリケーションＩＤをサービス情報管理サーバ１００に送信する。サービス情報管理サーバ１００は、受信したアプリケーションＩＤと、記憶しているアプリケーションＩＤとを比較する。比較した結果、インストールしていないアプリケーションのアプリケーションＩＤが存在する場合、このアプリケーションに対応付けて記憶しているユーザＩＤとパスワードとを利用して、アプリケーションを電化製品１０ｂに対して送信する。電化製品１０ｂは、このアプリケーションを受信し、インストールする。
【００５１】
なお、アプリケーションのインストールは、電化製品１０ｂ自身が行っても良い。具体的には、自身のＳＩＭ  ＩＤをサービス情報管理サーバ１００に送信し、サービス情報管理サーバ１００から、このＳＩＭ  ＩＤに対応付けられたアプリケーションＩＤを取得する。取得したアプリケーションＩＤと、自身にインストールされているアプリケーションＩＤとを比較する。比較した結果、インストールしていないアプリケーションのアプリケーションＩＤが存在する場合、このアプリケーションに対応付けて記憶しているユーザＩＤと、パスワードとを、サービス情報管理サーバ１００から取得する。電化製品１０ｂは、取得したユーザＩＤと、パスワードとを利用して、対象のアプリケーションをインストールする。また、電化製品１０ｂにアプリケーションのインストールを行う方法は、上述した方法に限らず、他の方法であっても良い。
【００５２】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５４】
１  サービス情報管理システム、１０  電化製品、１００  サービス情報管理サーバ
【図１】
2016154321.tif 000003
【図２】
2016154321.tif 000004
【図３】
2016154321.tif 000005
【図４】
2016154321.tif 000006
【図５】
2016154321.tif 000007
【図６】
2016154321.tif 000008
【図７】
2016154321.tif 000009